(57)【要約】 【課題】  粉末又は流体を収集したり測定したり注いだり、こぼさずに、する用具を提供すること。【解決手段】  本発明の用具は、（a）第１端と第２端を有するアーチ形状の内部空洞を有する保持ハンドルと、（b）前記第１端に配置された開口を有する収集容器と、（c）前記第２端に配置された放出開口とを有する。前記収集容器と前記内部空洞が一つのスペースを構成し、前記収集容器の開口を通して収集された粉末又は流体を、前記内部空洞を通して流し、前記放出開口を通して放出する。【選択図】  図２
2009529949.tif 000002
【特許請求の範囲】
【請求項１】
粉末又は流体を収集したり測定したり注いだりする用具において、
（a）第１端と第２端を有するアーチ形状の内部空洞を有する保持ハンドルと、
（b）前記第１端に配置された開口を有する収集容器と、
（c）前記第２端に配置された放出開口と、
を有し、
前記収集容器と前記内部空洞が一つの空間を構成し、前記収集容器の開口を通して収集された粉末又は流体を、前記内部空洞を通して流し、前記放出開口を通して放出する
ことを特徴とする用具。
【請求項２】
前記空間は、一つの連続する表面の形態の外部包囲体を有し、不連続点は存在せず、その結果層流が可能となる
ことを特徴とする請求項１記載の用具。
【請求項３】
前記保持ハンドルと前記収集容器とは、一体として形成され、
前記用具は、仮想対称面を有する
ことを特徴とする請求項２記載の用具。
【請求項４】
前記用具は、上部外部表面を有し、
前記収集容器の前記開口は、前記上部外部表面上に形成された穴である
ことを特徴とする請求項３記載の用具。
【請求項５】
前記放出開口は、放出開口面の上に形成され、
前記放出開口面は、前記放出開口面が前記上部外側表面と交差する点で、前記対称面上で前記上部外側表面の第１接線に対し、放出開口傾斜角Betaをなし、
前記放出開口傾斜角Betaは、３０度−８０度の間である
ことを特徴とする請求項４記載の用具。
【請求項６】
前記放出開口面が前記上部外側表面と交差する点の対称面上の第１接線と、前記上部外側表面が前記収集容器の開口で切り取られた点の対称面上の第２接線との間で、角度alphaをなし、
前記角度alphaが、５度と４０度の間である
ことを特徴とする請求項４記載の用具。
【請求項７】
（d）前記収集容器に形成された測定マークと、
（e）前記収集容器に配置された先端リップと、
を更に有し、前記用具は、少なくとも部分的に透明である
ことを特徴とする請求項４記載の用具。
【請求項８】
前記内部空洞は、前記仮想対称面との交点で、２個の上下の湾曲部を形成し、
前記２個の湾曲部の間で局部的距離を有し、
前記局部的距離は、前記放出開口の方向に向かって順次減少し、
前記放出開口に向かう局部的距離は、前記局部的距離の最大値の０．８倍以上である
ことを特徴とする請求項４記載の用具。
【請求項９】
（d）前記収集容器に形成された複数の測定マークと、
（e）前記収集容器に配置された先端リップと、
を有し、前記用具は、少なくとも部分的に透明である
ことを特徴とする請求項４記載の用具。
【請求項１０】
第１貯蔵容器から粉末又は流体を収集し測定し注ぐ方法において、
（a）粉末又は流体を収集し測定し注ぐ用具を用意するステップと、
前記用具は、
（i）第１端と第２端を有するアーチ形状の内部空洞を有する保持ハンドルと、
（ii）前記第１端に配置された開口を有する収集容器と、
（iii）前記第２端に配置された放出開口と
を有し、
前記収集容器と前記内部空洞が一つのスペースを構成し、前記収集容器の開口を通して収集された粉末又は流体を、前記内部空洞を通して流し、前記放出開口を通して放出し
（b）前記用具を保持し、物質を第１貯蔵容器から前記収集容器内に集めるステップと、
を有する
ことを特徴とする方法。
【請求項１１】
（c）前記用具を傾斜するステップと、
その結果前記物質の少なくとも一部が前記内部空洞内に入り、
（d）前記物質のさらなる部分を前記収集容器内に前記第１貯蔵容器から集めるステップと
を更に有する
ことを特徴とする請求項１０記載の方法。
【請求項１２】
（c）前記用具内で物質で動かすステップと、
（d）前記用具を傾けるステップと、
を更に有する
ことを特徴とする請求項１０記載の方法。
【請求項１３】
前記物質は、第２貯蔵容器内に注がれる
ことを特徴とする請求項１２記載の方法。
【請求項１４】
前記物質を注ぐステップは、ある流速で行われ、
前記流速は、前記用具を傾けることにより、制御される
ことを特徴とする請求項１２記載の方法。
【請求項１５】
前記物質は、前記用具を振ることにより、分散される
ことを特徴とする請求項１２記載の方法。
【請求項１６】
前記物質は、粉末である
ことを特徴とする請求項１２記載の方法。
【請求項１７】
前記物質は、流体である
ことを特徴とする請求項１２記載の方法。
【発明の詳細な説明】
【技術分野】
【０００１】
本発明は、粉末又は流体を集め注ぐ用具（例、台所用品）と方法に関し、特に、１０ｃｍ３未満の容積の粉末又は流体を正確に集め注ぐ用具と方法に関する。
【背景技術】
【０００２】
粉末又は流体を集め注ぐ台所用品は、長い間使用されてきた。
【０００３】
現代では、いくつかの新たな用具が提案されている。その内の１つは、特許文献１に開示されたシャベルとじょうごの両方の機能を有する台所用品である。
【０００４】
【特許文献１】イギリス特許第６１２８５１号明細書
【０００５】
従来技術を示す図１は、主婦が塩、胡椒等の粉末物質を取り扱う為に使用する物品を示す。図１は、従来技術の台所用品の斜視図である。従来の用具５００は、短い中空シリンダの形態の本体部分５１を有する。この本体部分５１は、その開口端で４５度で傾斜した約２．５ｃｍの長さで直径が２．５ｃｍの半円筒形の延長部５２を有し、これによりシャベルの本体を形成する。短い円筒部分のテーパ部は、４５度の角度で反対方向に向いてより小さな直径となる傾斜部分の「じょうごの本体」５３を形成する。このテーパ部分の小さな端部は、管状延長部５４を有する。この管状延長部５４は、シャベルの取っ手とじょうご部分の放出口として機能する。取っ手部分の端部は、ハンドル５５で傾斜し、そこから流体又は粉末を注ぎ込む。
【発明の開示】
【発明が解決しようとする課題】
【０００６】
現在、従来技術よりも改善された品質の台所用品が必要とされている。本発明の目的は、粉末又は流体を清潔かつ正確に収集でき、特に細く深い容器から粉末又は流体を収集でき、そしてそれを正確に注ぎ込むことができる台所用品を提供することである。
【課題を解決するための手段】
【０００７】
本発明の粉末又は流体を収集したり測定したり注いだりする用具は、（a）第１端と第２端を有するアーチ形状の内部空洞を有する保持ハンドルと、（b）前記第１端に配置された開口を有する収集容器と、（c）前記第２端に配置された放出開口とを有する。前記収集容器と前記内部空洞が一つの空間を構成し、前記収集容器の開口を通して収集された粉末又は流体を、前記内部空洞を通して流し、前記放出開口を通して放出する。
【０００８】
本発明の一実施例によれば、前記空間は、一つの連続する表面の形態の外部包囲体を有し、不連続点は存在せず、その結果層流が可能となる。
【０００９】
本発明の一実施例によれば、前記保持ハンドルと前記収集容器とは、一体として形成され、前記用具は、仮想対称面を有する。
【００１０】
本発明の一実施例によれば、前記用具は、上部外部表面を有し、前記収集容器の前記開口は、前記上部外部表面上に形成された穴である。
【００１１】
本発明の一実施例によれば、前記放出開口は、放出開口面の上に形成され、前記放出開口面は、前記放出開口面が前記上部外側表面と交差する点で、前記対称面上で前記上部外側表面の第１接線に対し、放出開口傾斜角Betaをなし、前記放出開口傾斜角Betaは、３０度−８０度の間である。
【００１２】
本発明の一実施例によれば、前記放出開口面が前記上部外側表面と交差する点の対称面上の第１接線と、前記上部外側表面が前記収集容器の開口で切り取られた点の対称面上の第２接線との間で、角度alphaをなし、前記角度alphaが、５度と４０度の間である。
【００１３】
本発明の一実施例によれば、本発明の容器は、（d）前記収集容器に形成された測定マークと、（e）前記収集容器に配置された先端リップとを更に有し、前記用具は、少なくとも部分的に透明である
【００１４】
本発明の一実施例によれば、前記内部空洞は、前記仮想対称面との交点で、２個の上下の湾曲部を形成し、前記２個の湾曲部の間で局部的距離を有し、前記局部的距離は、前記放出開口の方向に向かって順次減少し、前記放出開口に向かう局部的距離は、前記局部的距離の最大値の０．８倍以上である。
【００１５】
本発明の一実施例によれば、本発明の容器は、（d）前記収集容器に形成された複数の測定マークと、（e）前記収集容器に配置された先端リップとを有し、前記用具は、少なくとも部分的に透明である。
【００１６】
本発明の一実施例によれば、第１貯蔵容器から粉末又は流体を収集し測定し注ぐ方法は、（a）粉末又は流体を収集し測定し注ぐ用具を用意するステップと、前記用具は、（i）第１端と第２端を有するアーチ形状の内部空洞を有する保持ハンドルと、（ii）前記第１端に配置された開口を有する収集容器と、（iii）前記第２端に配置された放出開口とを有する。前記収集容器と前記内部空洞が一つのスペースを構成し、前記収集容器の開口を通して収集された粉末又は流体を、前記内部空洞を通して流し、前記放出開口を通して放出し、（b）前記用具を保持し、物質を第１貯蔵容器から前記収集容器内に集めるステップとを有する。
【００１７】
本発明の一実施例によれば、本発明の方法は、（c）前記用具を傾斜するステップと、その結果前記物質の少なくとも一部が前記内部空洞内に入り、（d）前記物質のさらなる部分を前記収集容器内に前記第１貯蔵容器から集めるステップとを更に有する。
【００１８】
本発明の一実施例によれば、本発明の方法は、（c）前記用具内で物質で動かすステップと、（d）前記用具を傾けるステップとを更に有する。
【００１９】
本発明の一実施例によれば、前記物質は第２貯蔵容器内に注がれる。
【００２０】
本発明の一実施例によれば、前記物質を注ぐステップは、ある流速で行われ、前記流速は、前記用具を傾けることにより、制御される。
【００２１】
本発明の一実施例によれば、前記物質は、前記用具を振ることにより、分散される。
【００２２】
本発明の一実施例によれば、前記物質は粉末である。
【００２３】
本発明の一実施例によれば、前記物質は流体である。
【実施例】
【００２４】
本明細書と特許請求の範囲において、用語「粉末」とは、粒子を含む固体状物質を意味する。その固体状物質（粒子）のサイズは、お茶やコーヒーに入れる砂糖の粒子の大きさ以下である。
【００２５】
本発明による粉末又は流体を集め注ぐ台所用品とその方法は、台所用品の一方の端部で粉末又は流体（以下物質とも称する）を清潔かつ正確に集め、この集めた物質を空洞を通して移送し、他端から正確に放出するという原理に基づく。
【００２６】
粉末は、これに限定される訳ではないが、砂糖、コーヒー、香辛料等であり、流体は、水、ソース、流体調味料、流体甘味料等である。
【００２７】
本発明の原理は、多くの分野に適応可能であり、様々な環境で長年に渡り利用することができる。
【００２８】
図２は、本発明の粉末又は流体を集め注ぐ用具１００である台所用品を示す。
【００２９】
用具１００の外形は、一体となった円筒状で細長く湾曲したひょうたんを連想させる形態をしている。この用具１００の一方の端部（図２で右側）は、幅が変化する円味を帯びた外形で、他端に向かってテーパ状をなす。他端は削られている。シリンダの側面断面は、様々な大きさの単純な円形或いは楕円形から、一端から他端に順次伸びるような形状まで、或いは他の様々な複雑な形状の断面の形態を採りうる。通常、必要により他の形態を採らない限り、シリンダは対称（中心）面に対し対称形状をしている。
【００３０】
用具１００の独自の形状により、流体と粉末を収集する開口が幅広い側の前部で上部外側表面方向に向いて開いている為、狭く深い形状の容器の狭い開口を通して、粉末又は流体を収集できる。その後、収集した粉末又は流体を搬送し、それらを別の容器に注ぐ、又は所定の表面に散布することができる。
【００３１】
同図によれば、内部空洞を有する保持ハンドル２はアーチ形状をしている。収集容器１は入口開口を具備する。
【００３２】
図３は、本発明の他の実施例の粉末又は流体を集め注ぐ用具１００の斜視図である。用具１００は放出開口３を有する。この用具１００は、１つのユニットとして形成される。この用具１００に関し、水平面に仮想のデカルト座標軸（Ｘ軸とＹ軸）を、Ｚ軸（デカルト座標軸の第３軸）を地球の重力方向とは反対方向になるように規定する。Ｚ軸方向を用具１００の上面と定義する。
【００３３】
２本のＸ軸とＺ軸が、用具１００の対称（中心）面として機能する面を規定する。
【００３４】
用具１００により、粉末又は流体を正確に集め注ぐことは、収集容器１の一定容積に従って行われる。測定マーク９又は他の適宜の表示手段が収集容器１の内側壁に付されている場合さらには外側壁に付されてい場合（容器が完全に又は部分的に透明な物質製の場合）には、より小容量の物質を収集することが可能である。
【００３５】
複数の測定マーク９が、座標軸に対し異なる角度（傾斜角）で付される。かくしてユーザは、用具１００の水平面に対し傾斜角を選択できる。この水平面は、用具１００を保持するのに最も便利な方向に適合する。測定は、適宜の測定マーク９のグループの手段により行われる。同図によれば、測定マーク９の２つのグループは、それぞれ座標軸Ｘに対し異なる角度で付される。各グループのマーキングは、例えば異なった色である。
【００３６】
容器の全容積ではなく粉末又は流体を正確に一定量集める為に、一つの内側マークが収集容器１に付けられる。このマークは、溝、印刷又は他の適宜の印であり、収集容器１の周囲全体に又はその一部に、連続的に或いは断続的に付される。特に流体を集める時に、高い測定精度が達成されるが、これは、用具１００のマークが重力方向に直交するような空間方向を向いた時に、達成される。これは流体の表面とマークの表面を合わせることで簡単に行うことができる。
【００３７】
図４は、本発明の他の実施例の用具１００の上面図である。用具１００が一体物であるが３つの主要部分から構成される。収集容器１と保持ハンドル２と放出開口３である。収集容器１は、Ｘ−Ｙ面に平行な面に配置される上部開口を有する。収集容器１は保持ハンドル２に取り付けられる。この空洞の一方の開口は、収集容器１の壁上の適宜の場所に配置され、他方の開口である放出開口３が保持ハンドル２の他端に配置される。
【００３８】
図５は、本発明の他の実施例の粉末又は流体を集め注ぐ用具の側面断面図である。この断面は、図４の線ａ−ａに沿ったものである。この断面図は内部空洞８を示す。この内部空洞８は、収集容器１と放出開口３とを連結し、粉末又は流体が通過できるようにする。上側カーブ５と下側カーブ６は、内部空洞８の断面に形成され、それらの間の距離は、ある場所ではＤである。
【００３９】
本発明の一実施例によれば、粉末又は流体を内部空洞８内をスムーズに効率よく流すために、この断面の線は連続的である即ち不連続点はなく、収集容器１に接続される点を有し、連続数式で表される。不連続点のない連続性は、粉末又は流体が流れるスペースを囲む表面全体に渡って、維持される。
【００４０】
本明細書と特許請求の範囲において、用語「連続する」とは、あるポイントxにおいて数式f(x)の従来の定義であり、同様に不連続点は数式が連続しない点を意味する。
【００４１】
内部空洞８内で物質の流速を増加させることは、放出開口３の方向に徐々に断面（Ｄ）を小さくすることにより、達成される。
【００４２】
内部空洞８の側面（Ｙ軸方向の）断面は一定形状である。この側面断面は、収集容器１から放出開口３の方向に大きさ（断面積）のみが変わる。また、例えば、一定の半径比率の楕円であるが、半径比率が変わる楕円でもよい。内部空洞８が円形断面を有する点において、その円周はＤである。
【００４３】
図５に示すように、保持ハンドル２は、湾曲した形状を有し、断面で湾曲率が変化している。
【００４４】
用具１００は、上部外側表面を有する。この上部外側表面は、保持ハンドル２の上部外側表面を含む。この上部外側表面を垂直面Ｘ−Ｚ（用具１００の対称面）で切ると、この湾曲ラインは、上側カーブ７の断面の上部外側側の湾曲ラインである。保持ハンドル２が湾曲しているので、放出開口３の端部の湾曲ラインの接線は、水平線との間で傾斜角Alphaを形成する。この角度Alphaは、本発明の台所用品の傾斜角である。
【００４５】
同様に、放出開口３の端部の接線とこの放出開口３の切り口の面との間の角度は、放出開口の傾斜角Betaとして定義できる。
【００４６】
収集容器１の入口開口は、上部外側表面に形成された開いた穴である。物質が収集容器１内に収集されると、その物質の一部は、保持ハンドル２の湾曲空間内に入る。物質は、放出開口３を通して、こぼれずに、収集可能となる。この湾曲形状は、十分制御された速度でゆっくりと注ぐようにするために必須のものである。さらに放出開口３の湾曲形状は、用具１００を使用したり保持したりするために重要である。この湾曲形状は、人間の手のアーチ形状に十分には馴染まない直線状のチューブによりも、優れている。この便宜さ故に、十分な制御と注ぐのに特有な動きが可能となる。
【００４７】
用具１００の様々な部品の形状と寸法は、試行錯誤で決定できる。また特定の形状と寸法のある容器から物質を収集しこの物質を特定の形状と寸法の別の容器に運ぶよう適合可能であり、更にこれら２つの容器の間の相対位置と特定距離に合わせて、かつ様々な大きさのユーザにも合わせて、用具の様々な部品の形状と寸法が決定できる。
【００４８】
さらに図５は、収集容器１の先端リップ４を示す。この先端リップ４は、収集後、物質がこぼれるのを防止する。先端リップ４は、若干外側に傾斜しており、より幅が広くかつ効率的なリップを形成して、使用中に粉末又は流体がこぼれるのを防止する。即ち、収集容器１の広い断面領域に対し狭い開口を形成する。この傾斜により、物質が内側の壁から戻ることが、外側に拡散した物質を集める（曲げる）ことにより、可能となる。
【００４９】
図５は、保持ハンドル２の端部を示す。内部空洞８は、断面が斜めに交差している（切り取られている）。この断面により、放出開口３は、流れに直交する断面積よりもより広い開口面積を有する。
【００５０】
この広い斜めの開口により、必要によっては用具１００振ることにより、流出物質の幅広い散布が可能となる。振らないと、注ぎ込むことは自由かつ正確となる。
【００５１】
この形状のさらなる利点は、放出開口３を洗浄する時にみられる。この放出開口３は、幅が広いために、洗浄するのが容易となる。これは、ごみが注ぎ込むリップの先端の外側に蓄積するからである。
【００５２】
図６は、本発明の用具１００を使用する方法を表すためのステップａ，ｂ，ｃを示す。
【００５３】
ステップａにおいて、ユーザは、用具１００を手３０で持って、粉末又は流体２０を第１貯蔵容器１０から収集容器１内に集める。
【００５４】
ステップｂにおいて、ユーザは、集められた物質が容器（と内部空洞）内に入るように、用具１００を動かす。
【００５５】
ステップｃにおいて、ユーザは、本発明の用具１００を手３０で傾けることにより粉末又は流体２０を第２貯蔵容器１１内に注ぐ。この傾斜角により、粉末又は流体２０の流速が決まる。すなわち強く速い流れは、粉末又は流体２０を用具１００から制御しながら放出する必要がない場合に行われる。ゆっくりとした流れは、制御が必要な場合、例えば、少量の粉末の香辛料を比較的広い面積に撒くような場合に行われる。
【００５６】
本発明の粉末又は流体を集め注ぐ用具と方法は、以下の利点がある。
【００５７】
第１容器と第２容器の間の移送で、粉末又は流体がこぼれることがない。
【００５８】
粉末又は流体は、高い棚又は手が届かないような場所に置かれた容器から中身を見ずに、取り出すことができる。
【００５９】
粉末又は流体は、深い容器から、それを傾斜することなく又は手で持つことなく、取り出すことができる。
【００６０】
塩、砂糖、ドレッシング等をゆっくりとたらすことにより、均一にサラダ又は食物の上に分散させることができる。
【００６１】
本発明の用具は、微細なモータ技術を利用でき、子供の空間感覚を育てる利点がある。
【００６２】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００６３】
【図１】粉末状物質を取り扱うのに便利な従来用具の斜視図。
【図２】本発明の粉末又は流体を集め注ぐ台所用品の斜視図。
【図３】本発明の粉末又は流体を集め注ぐ台所用品の斜視図。
【図４】図２の本発明の粉末又は流体を集め注ぐ台所用品の上面図。
【図５】図２の本発明の粉末又は流体を集め注ぐ台所用品の側面の断面図。
【図６】図２の本発明の粉末又は流体を集め注ぐ台所用品の使用例を表す図。
【符号の説明】
【００６４】
１００  粉末又は流体を集め注ぐ用具
１      収集容器
２      内部空洞を有する保持ハンドル
３      放出開口
４      先端リップ
５      内部空洞断面の上側カーブ
６      内部空洞断面の下側カーブ
７      外側表面の上側カーブ
８      内部空洞
９      測定マーク
Ｄ      内部空洞断面間の距離
Alpha   用具本体のの傾斜角
Beta    放出開口傾斜角
１０    第１貯蔵容器
１１    第２貯蔵容器
２０    粉末又は流体
３０    手
５００  従来用具
５１    短い中空シリンダ
５２    半円筒形延長部
５３    本体
５４    管状延長部
５５    ハンドル
Ｄ      内部空洞断面間の距離
【図１】
2009529949.tif 000003
【図２】
2009529949.tif 000004
【図３】
2009529949.tif 000005
【図４】
2009529949.tif 000006
【図５】
2009529949.tif 000007
【図６】
2009529949.tif 000008